(57)【要約】【課題】階調パターンを検知して、画像形成条件を補正する画像形成装置において、階調パターンの個数を多くしなくても、階調性の大きく変動する個所を重点的に補正可能な画像形成装置を提供する。【解決手段】像担持体４と、画像入力信号に基いて像担持体４にトナー像を形成する画像形成手段と、画像形成手段により形成された複数の濃度レベルの検知用画像を検知する検知手段４０と、検知手段４０の検知結果に基いて、画像入力信号に対する画像出力特性を補正する補正手段２５と、画像出力特性の傾きの変化率の絶対値が大きい濃度領域に重点的に検知用画像が形成されるように検知用画像が形成される濃度レベルを変更する変更手段２１４と、を有する。【選択図】図２
2010281979.tif 000002
【特許請求の範囲】
【請求項１】
像担持体と、
画像入力信号に基いて前記像担持体にトナー像を形成する画像形成手段と、
前記画像形成手段により形成された複数の濃度レベルの検知用画像を検知する検知手段と、
前記検知手段の検知結果に基いて、画像入力信号に対する画像出力特性を補正する補正手段と、
前記画像出力特性の傾きの変化率の絶対値が大きい濃度領域に重点的に前記検知用画像が形成されるように前記検知用画像が形成される濃度レベルを変更する変更手段と、
を有することを特徴とする画像形成装置。
【請求項２】
画像入力信号に対する画像出力特性を補正する補正手段は、γ変換ルックアップテーブルであり、前記変更手段は、γ変換ルックアップテーブルの２階微分値に基づいて、前記検知用画像が形成される濃度レベルを変更することを特徴とする請求項１に記載の画像形成装置。
【請求項３】
γ変換ルックアップテーブルの２階微分値の最大値と最小値に基づいて、前記検知用画像が形成される濃度レベルを変更することを特徴とする請求項１または２に記載の画像形成装置。
【発明の詳細な説明】
【技術分野】
【０００１】
本発明は、例えば電子写真方式の複写機やプリンタ等とされる、像担持体上に画像を形成し、この画像を記録材に転写する画像形成装置に関する。
【背景技術】
【０００２】
従来、複写機やプリンタなどの画像形成装置の画像濃度特性を調整する方法（以下、「画像制御方法」という。）として、次のような方法が知られている。
【０００３】
画像形成装置を起動して、そのウォームアップ動作の終了後、特定のパターン（即ち、階調パターン）を感光体ドラムなどの像担持体上に形成する。そして、形成されたパターンの濃度を読み取り、読み取った濃度値に基づき、ガンマ補正回路などの画像形成条件を決定する回路の動作を変更して、形成される画像の品質を安定させる（例えば特許文献１参照）。
【０００４】
さらに、環境条件の変動により、画像形成装置の階調特性が変化した場合も、再度、特定のパターンを像担持体上に形成し、読み取り、再び、ガンマ補正回路などの画像形成条件を決定する回路にフィードバックする。これにより、環境条件の変動に応じて画像品質を安定させることができる。
【０００５】
また、画像形成装置が長期に亘って使用された場合、像担持体上のパターンを読み取った濃度と、実際にプリントアウトされる画像の濃度とが一致しないケースが発生する。そのため、記録材上に特定のパターンを形成し、その濃度値によって画像形成条件を補正する方法が知られている（例えば特許文献２参照）。
【０００６】
また、一つの画像パターンの濃度情報によってガンマルックアップテーブル（γＬＵＴ）を補正又はγＬＵＴ補正テーブルを作成し、不足する補正情報をガンマ補正回路に追加する方法が知られている。この点から、プリンタ等、装置の個体差や出力環境の変化による出力特性の変化を補正するキャリブレーションが行われることが知られている（例えば特許文献３参照）。
【先行技術文献】
【特許文献】
【０００７】
【特許文献１】特開２０００−２３８３４１号公報
【特許文献２】特開平７−１３１６５０号公報
【特許文献３】特開２００３−２０２７１１号公報
【発明の概要】
【発明が解決しようとする課題】
【０００８】
上述した従来技術では、以下のような課題がある。即ち、従来、階調補正テーブル作成には、パッチの濃度レベルが固定されたパターンが用いられる。一方、エンジン特性の装置毎のばらつきや環境変動、材料起因によって階調性の変化が大きいところは必ずしも同じではない。
【０００９】
しかしながら、パッチが形成される濃度レベルは固定されている為、階調変化の大きい濃度レベルを十分に補正することが困難であった。そこで、パッチ形成数を増やすことで、階調性の変化が大きい濃度レベルを重点的に補正することも考えられるが、ダウンタイムの増加を招いてしまう。
【００１０】
そこで、本発明の目的は、階調パターンを検知して、画像形成条件を補正する画像形成装置において、階調パターンの個数を多くしなくても、階調性の大きく変動する個所を重点的に補正可能な画像形成装置を提供することである。
【課題を解決するための手段】
【００１１】
上記目的は本発明に係る画像形成装置にて達成される。要約すれば、本発明は、
像担持体と、
画像入力信号に基いて前記像担持体にトナー像を形成する画像形成手段と、
前記画像形成手段により形成された複数の濃度レベルの検知用画像を検知する検知手段と、
前記検知手段の検知結果に基いて、画像入力信号に対する画像出力特性を補正する補正手段と、
前記画像出力特性の傾きの変化率の絶対値が大きい濃度領域に重点的に前記検知用画像が形成されるように前記検知用画像が形成される濃度レベルを変更する変更手段と、
を有することを特徴とする。
【発明の効果】
【００１２】
本発明によれば、階調パターンを検知して、画像形成条件を補正する画像形成装置において、階調パターンの形成数を多くしなくても、階調性の大きく変動する個所を重点的に補正可能な画像形成装置を提供することができる。
【図面の簡単な説明】
【００１３】
【図１】本発明に係る画像形成装置の一実施例の概略構成図である。
【図２】プリンタ部の構成例を示すブロック図である。
【図３】階調が再現される様子を示す四限チャートである。
【図４】キャリブレーションの一例を示すフローチャートである。
【図５】表示器の表示例を示す図である。
【図６】表示器の表示例を示す図である。
【図７】表示器の表示例を示す図である。
【図８】テストプリント１の例を示す図である。
【図９】テストプリント２の例を示す図である。
【図１０】感光体ドラムの相対ドラム表面電位と画像濃度との関係を示す図である。
【図１１】絶対水分量とコントラスト電位との関係を示す図である。
【図１２】グリッド電位と表面電位との関係を示す図である。
【図１３】パッチの濃度読取点を説明する図である。
【図１４】フォトセンサの出力信号処理回路構成の一実施例を示すブロック図である。
【図１５】フォトセンサの出力と画像濃度の関係を示す図である。
【図１６】第２の制御系の目標値設定処理のフロー図である。
【図１７】感光体ドラム上にパッチ画像を形成するシーケンスを示す図である。
【図１８】エンジン特性を示す図である。
【図１９】エンジン特性の２階微分特性を示す図である。
【図２０】ルックアップテーブルを示す図である。
【図２１】本発明に係る画像形成装置の他の実施例の概略構成図である。
【発明を実施するための形態】
【００１４】
以下、本発明に係る画像形成装置を図面に則して更に詳しく説明する。ただし、以下に説明する実施例に記載されている構成要素の相対配置、数式、数値等は、特に特定的な記載がない限りは、本発明の範囲をそれらのみに限定する趣旨のものではない。
【００１５】
実施例１
［画像形成装置の全体構成］
図１を参照して、本発明に係る実施例１の画像形成装置を説明する。図１は、本実施例の画像形成装置１００１の全体構成を示す図である。
【００１６】
以下に、通常の画像形成とは異なるシーケンスにより、γＬＵＴを作成する第１の制御系を示す。また、画像形成中に非画像部に画像を作成し、既に作成されたγＬＵＴの補正テーブルを作成する第２の制御系を示す。本実施例では第１の制御系でガンマカーブを把握し、そのガンマカーブを使用し、第２の制御系での階調パターンの信号値を変更する。
【００１７】
（リーダ部）
リーダ部Ａの原稿台ガラス１０２上に置かれた原稿１０１は、光源１０３によって照され、原稿１０１からの反射光は光学系１０４を介してＣＣＤセンサ１０５に結像する。ＣＣＤセンサ１０５は、三列に配置されたレッド、グリーン及びブルーのＣＣＤラインセンサ群からなり、ラインセンサ毎にレッド、グリーン及びブルーの色成分信号を生成する。これら読取光学系ユニットは、図１に示す矢印の方向に移動され、原稿１０１の画像をライン毎の電気信号に変換する。
【００１８】
原稿台ガラス１０２上には、原稿１０１の一辺を当接させて原稿１０１の斜め配置を防ぐ位置決め部材１０７、ＣＣＤセンサ１０５の白レベルを決定し、ＣＣＤセンサ１０５のスラスト方向のシェーディング補正を行うための基準白色板１０６が配置されている。
【００１９】
ＣＣＤセンサ１０５によって得られる画像信号は、リーダ画像処理部１０８によって画像処理されてプリンタ部Ｂに送られ、プリンタ制御部１０９で処理される。
【００２０】
ＣＰＵ（制御手段）２１４は、ＲＡＭ２１５をワークメモリとして、ＲＯＭ２１６に格納されたプログラムに従い、リーダ部Ａの制御や画像処理を行う。オペレータは、操作部２１７によってＣＰＵ２１４へ指示や処理条件を入力する。表示器２１８は、画像形成装置の動作状態や設定された処理条件などを表示する。
【００２１】
（プリンタ部）
図１において、トナー像を形成するプリンタ部（トナー像形成手段）Ｂでは、図に示す矢印の方向に回転する像担持体としてのドラム状電子写真感光体、即ち、感光体ドラム４の表面は、一次帯電器８により一様に帯電される。プリンタ制御部１０９は、レーザドライバによって、入力される画像データに応じたパルス信号を出力する。レーザ光源１１０は、入力されるパルス信号に応じたレーザ光を出力する。レーザ光は、ポリゴンミラー１及びミラー２に反射され、帯電された感光体ドラム４の表面を走査する。レーザ光の走査によって感光体ドラム４の表面には静電潜像が形成される。
【００２２】
感光体ドラム４の表面に形成された静電潜像は、現像器３によって各色毎に、各色のトナーで現像される。本実施例は、二成分系のトナーを用い、感光体ドラム４の周りに各色の現像器が上流よりブラックＢｋ、イエローＹ、シアンＣ、マゼンタＭの順に配置する。画像形成色に応じた現像器３が、感光体ドラム４に接近して静電潜像を現像する。
【００２３】
記録材としての記録紙６は、各色成分毎に１回転する記録材担持体としての転写ドラム５に巻き付けられ、合計４回転することで各色のトナー像が記録紙６に転写され重畳される。転写が終了すると、記録紙６は、転写ドラム５から分離され、定着ローラ対７によってトナーが定着され、フルカラーの画像プリントが完成する。
【００２４】
また、感光体ドラム４の周辺には、現像器３の上流側（図に示す矢印の矢頭の側が下流）に感光体ドラム４の表面電位を測る表面電位センサ１２が配置される。更に、感光体ドラム４上の転写されなかった残トナーをクリーニングするためのクリーナ９、並びに、感光体ドラム４上に形成されたトナーパッチの反射光量を検出するための検出手段としてのフォトセンサ４０が配置される。本実施例にてフォトセンサ４０は、ＬＥＤ光源１０及びフォトダイオード１１にて構成されている。
【００２５】
図２は、プリンタ部Ｂの構成例を示すブロック図である。
【００２６】
プリンタ制御部１０９は、ＣＰＵ（制御手段）２８、ＲＯＭ３０、ＲＡＭ３２、テストパターン記憶部３１、濃度換算回路４２、ＬＵＴ（γＬＵＴ：γ変換ルックアップテーブル）２５、レーザドライバ２６、パターンジェネレータ２９、パターンジェネレータ生成部２９１などから構成される。そして、リーダ部Ａ及びプリンタエンジン１００と通信可能とされる。ＣＰＵ２８は、プリンタ部Ｂの動作を制御するとともに、一次帯電器８のグリッド電位や現像器３の現像バイアスを制御する。
【００２７】
プリンタエンジン１００は、感光体ドラム４や、その周囲に配置された、ＬＥＤ１０及びフォトダイオード１１からなるフォトセンサ４０、一次帯電器８、レーザ光源１１０、表面電位センサ１２、現像器３などから構成される。さらに、装置内の空気中の水分量（又は温湿度）を測定する環境センサ３３を備える。ＣＣＤセンサ１０５によって得られた画像の輝度信号は、リーダ画像処理部１０８において面順次の濃度信号に変換される。変換後の濃度信号は、初期設定時のプリンタのガンマ特性に応じた信号になるように、つまり原画像の濃度と出力画像の濃度とが一致するように、画像入力信号に対する画像出力特性を補正する補正手段であるＬＵＴ（γＬＵＴ）２５によって特性が補正される。
【００２８】
図３は、階調が再現される様子を示す四限チャートである。
第Ｉ象限は、原画像の濃度を濃度信号に変換するリーダ部Ａの読取特性を、第ＩＩ象限は、濃度信号をレーザ出力信号に変換するためのＬＵＴ２５の変換特性（データ特性）を示す。更に、第ＩＩＩ象限はレーザ出力信号を出力画像の濃度に変換するプリンタ部Ｂの記録特性（プリンタ特性）を、第ＩＶ象限は原画像の濃度と出力画像の濃度との関係を示す。すなわち、図３の四限チャートは、図１に示す画像形成装置１００１のトータルの階調再現特性を示す。なお、８ビットのディジタル信号で処理するとして、階調数が２５６階調の場合を示している。
【００２９】
画像形成装置１００１における画像処理手段によるトータルの階調特性、つまり第ＩＶ象限の階調特性をリニアにするために、第ＩＩＩ象限のプリンタ特性がノンリニアな分を第ＩＩ象限のＬＵＴ２５によって補正する。ＬＵＴ２５により、階調特性が変換された画像信号は、レーザドライバのパルス幅変調（ＰＷＭ）回路によってドット幅に対応するパルス信号に変換され、レーザ光源１１０のオン／オフを制御するＬＤドライバ２７へ送られる。なお、本実施例では、Ｙ、Ｍ、Ｃ及びＢｋの全色ともにパルス幅変調による階調再現方法を用いる。
【００３０】
そして、レーザ光源１１０から出力されるレーザ光の走査によって感光体ドラム４上には、ドット面積の変化により階調が制御された、所定の階調特性を有する静電潜像が形成され、上述した現像、転写及び定着という過程をへて階調画像が再生される。
【００３１】
（第１の制御系）
次に、記録紙に画像を形成する通常の画像形成とは異なるシーケンスにおける画像制御として、リーダ部Ａ及びプリンタ部Ｂの双方を含む系の画像再現特性の安定化に関する第１の制御系について説明する。第１の制御系は、装置の初期設置時に行われる。その後は適宜、キャリブレーションの必要に応じてユーザが任意に行うことができる。
【００３２】
先ず、リーダ部Ａを用いてプリンタ部Ｂをキャリブレーションする制御系について説明する。
【００３３】
図４は、キャリブレーションの一例を示すフローチャートで、リーダ部Ａを制御するＣＰＵ（制御手段）２１４及び、プリンタ部Ｂを制御するＣＰＵ（制御手段）２８の協働により実現される。
【００３４】
オペレータが操作部２１７に設けられた例えば「自動階調補正」というモード設定ボタンを押すと、図４に示すキャリブレーションがスタートする。なお、表示器２１８は、図５から図７に示すように、タッチセンサ付きの液晶操作パネル（タッチパネルディスプレイ）で構成されている。
【００３５】
［テストプリント１の出力］
まず、表示器２１８に、図５（ａ）に示すテストプリント１のスタートボタン８１が現れる。オペレータが「テストプリント１」ボタンを押すと、図８に示すテストプリント１がプリンタ部Ｂによってプリントアウトされる（Ｓ５１）。なお、プリント中の表示は図５（ｃ）に示すようになる。その際、ＣＰＵ２１４は、テストプリント１を形成するための記録紙の有無を判断し、無い場合は図５（ｂ）に示すような警告を表示器２１８に表示する。
【００３６】
テストプリント１を形成する際のコントラスト電位は、環境に応じた標準状態のものを初期値として登録し、これを用いる。
【００３７】
ここで、コントラスト電位とは、現像バイアス電位と、感光体ドラム４が一次帯電された後に、最大の信号値（８ビットならば２５５）で変調されたレーザ光により感光された感光体ドラム４の表面電位との差をいう。
【００３８】
また、画像形成装置１００１は、複数の記録紙カセットを備え、例えばＢ４、Ａ３、Ａ４及びＢ５など、複数種の記録紙サイズが選択可能である。
【００３９】
しかし、この制御で使用する記録紙は、後の読取作業で、縦置き、横置きを間違えるエラーを避けるために、所謂、ラージサイズ紙、すなわち、Ｂ４、Ａ３、１１×１７又はＬＧＲを用いるように設定されている。
【００４０】
図８に示すテストプリント１のテストパターン（検知用画像）としては、Ｙ、Ｍ、Ｃ及びＢｋ４色分の中間階調濃度による、帯状のパターン６１が含まれる。このパターン６１を目視検査することで、筋状の異常画像、濃度むら及び色むらがないことを確認する。パッチパターン６２、及び、図９に示す階調パターン７１及び７２のサイズは、ＣＣＤセンサ１０５のスラスト方向の読取範囲に入るように設定されている。
【００４１】
異常が認められた場合は、再度テストプリント１をプリントし、再度異常が認められる場合はサービスマンコール、つまりサービスマンを呼んでメンテナンスを行う必要がある。なお、帯状パターン６１を、リーダ部Ａで読み取り、スラスト方向の濃度情報に基づき以後の制御を行うか否かの判断を自動的に下すことも可能である。
【００４２】
一方、パッチパターン６２はＹ、Ｍ、Ｃ及びＢｋ各色の最大濃度パッチ、つまり濃度信号値２５５に相当するパッチパターンである。
【００４３】
次に、オペレータは、テストプリント１を原稿台ガラス１０２に載置して、図６（ａ）に示す「読み込み」ボタン９１を押す。その際、図６（ａ）に示すように、オペレータ用の操作ガイダンスが表示器２１８に表示される。
【００４４】
パッチパターン６２を読み取る際は、原稿台１０２に設けた原稿当接用のマークである当接マークから徐々に走査すると、最初の濃度ギャップ点が帯状パターン６１の角（図８のＡ点）で得られる。濃度ギャップ点Ａの座標からパッチパターン６２の各パッチの相対位置を割り出し、パッチパターン６２の濃度を読み取る（Ｓ５２）。なお、テストプリント１の読取中は、図６（ｂ）に示すような表示を行う。そして、テストプリント１の向きや位置が不正で、読取不能の場合は、図６（ｃ）に示すようなメッセージを表示し、オペレータにテストプリント１の配置を修正させて「読み込み」キー９１を押させることで、再びテストプリント１を読み取る。
【００４５】
パッチパターン６２から得られたＲＧＢ値を、光学濃度に換算するためには次式を用いる。市販の濃度計と同じ値にするために補正係数ｋで調整する。また、別途ＬＵＴを用意して、ＲＧＢの輝度情報をＭＣＹＢｋの濃度情報に変換してもよい。
Ｍ  ＝−ｋｍ×ｌｏｇ１０（Ｇ／２５５）
Ｃ  ＝−ｋｃ×ｌｏｇ１０（Ｒ／２５５）
Ｙ  ＝−ｋｙ×ｌｏｇ１０（Ｂ／２５５）                      （１）
Ｂｋ＝−ｋｋ×ｌｏｇ１０（Ｇ／２５５）
【００４６】
次に、得られた濃度情報から最大濃度を補正する方法を説明する。図１０は、コントラスト電位（（感光体ドラム４の表面電位）−（現像バイアス電位））に対する、上述の演算によって得られる画像濃度との関係を示す図である。
【００４７】
テストプリント１をプリントした際のコントラスト電位（現像バイアス電位と、感光体ドラム４が一次帯電された後に、最大の信号値（８ビットならば２５５）で変調されたレーザ光により感光された感光体ドラム４の表面電位との差）が図１０に示すＡである。そして、パッチパターン６２から得られた濃度がＤＡである。
【００４８】
最大濃度領域では、コントラスト電位に対する画像濃度が、図１０に実線Ｌに示すように、リニアに対応することがほとんどである。ただし、二成分現像系では、現像器３内のトナー濃度が変動して下がった場合、図１０に破線Ｎで示すように、最大濃度領域でコントラスト電位に対する画像濃度がノンリニアになる場合がある。従って、図１０の例では、最終的な最大濃度の目標値を１．６とするが、０．１のマージンを見込んで、最大濃度の制御目標値を１．７に設定して、制御量を決定する。ここでのコントラスト電位Ｂは、次式から求める。
Ｂ＝（Ａ＋Ｋａ）×１．７／ＤＡ                  （２）
【００４９】
なお、（２）式においてＫａは補正係数で、現像方式の種類によって、その値を最適化するのが好ましい。
【００５０】
電子写真方式のコントラスト電位は、環境に応じて設定しないと原画像と出力画像の濃度が合わない。従って、先に説明した装置内の水分量をモニタする環境センサ３３の出力（つまり、絶対水分量）に基づき、図１１に示すように、最大濃度に対応するコントラスト電位を設定する。
【００５１】
従って、コントラスト電位を補正するために、次式に示す補正係数Ｖｃｏｎｔ．ｒａｔｅｌをバックアップされたＲＡＭなどに保存しておく。
Ｖｃｏｎｔ．ｒａｔｅｌ＝Ｂ／Ａ
【００５２】
画像形成装置１００１は、例えば３０分毎に、環境の水分量をモニタする。そして、水分量の検知結果に基づきＡの値を決定する度に、Ａ×Ｖｃｏｎｔ．ｒａｔｅｌを算出して、コントラスト電位を求める。
【００５３】
次に、コントラスト電位から、グリッド電位及び現像バイアス電位を求める方法を簡単に説明する。
【００５４】
図１２は、グリッド電位と感光体ドラム４の表面電位との関係を示す図である。なお、グリッド電位とは、一次帯電器８として用いるコロナ帯電器のグリッド電極に印加される電圧の電位である。また、現像バイアス電位とは、現像器３に印加される電圧の電位である。
【００５５】
グリッド電位を−２００Ｖにセットして、最小の信号値で変調したレーザ光で感光された感光体ドラム４の表面電位ＶＬ、並びに、最大の信号値で変調したレーザ光で感光された感光体ドラム４の表面電位ＶＨを表面電位センサ１２で測定する。同様に、グリッド電位を−４００ＶにしたときのＶＬ及びＶＨを測定する。そして、−２００Ｖのデータと−４００Ｖのデータとを、補間、外挿することで、グリッド電位と表面電位との関係を求める。なお、この電位データを求めるための制御を「電位測定制御」と呼ぶ。
【００５６】
次に、ＶＬから、画像にトナーかぶりが発生しないように設定されたＶｂｇ（例えば１００Ｖ）の差を設けて現像バイアスＶＤＣを設定する。コントラスト電位Ｖｃｏｎｔは、現像バイアスＶＤＣとＶＨの差分電圧で、Ｖｃｏｎｔが大ほど最大濃度が大きくなるのは上述したとおりである。
【００５７】
計算で求めたコントラスト電位Ｂを得るためのグリッド電位及び現像バイアスは、図１２に示す関係から求めることができる。従って、ＣＰＵ２８は、最大濃度が最終的な目標値より０．１高くなるようにコントラスト電位を求め、そのコントラスト電位が得られるようにグリッド電位及び現像バイアス電位を決定する（Ｓ５３）。
【００５８】
次に、決定されたコントラスト電位が制御範囲内か否かを判断して（Ｓ５４）、範囲外の場合は、現像器３などに異常があるものと判断し、対応する色の現像器３がチェックされるようにエラーフラグを立てる。このエラーフラグの状態は、サービスマンが所定のサービスモードで観ることができる。さらに、異常時は、制御範囲内ぎりぎりにコントラスト電位を修正して制御を継続する（Ｓ５５）。
【００５９】
このようにして設定されたコントラスト電位が得られるように、ＣＰＵ２８は、グリッド電位及び現像バイアスを制御する（Ｓ５６）。
【００６０】
本実施例では、上述の制御により、Ｙ、Ｍ、Ｃ、Ｂｋの各色のグリッド電位を−４００Ｖ、現像バイアス電位−２８０Ｖに決定した。なお、本実施例では、上記の制御をＹ、Ｍ、Ｃ、Ｂｋ各色について実施し、各色ごとにグリッド電位及び現像バイアス電位は同じ電位に決定した。
【００６１】
（テストプリント２）
次に、図７（ａ）に示すように、表示器２１８にテストプリント２のプリントスタートボタン１５０が現れる。オペレータが「テストプリント２」ボタンを押すと、図９に示すテストプリント２がプリントアウトされる（Ｓ５７）。なお、プリント中の表示は図７（ｂ）に示すようになる。
【００６２】
テストプリント２は、図９に示すように、Ｙ、Ｍ、Ｃ及びＢｋの各色について、４×１６（６４階調分）パッチのグラデーションパッチ群によって構成される。この６４階調は、全２５６階調のうち、低濃度領域に重点的に割り当てる。これは、とくにハイライト部における階調特性を良好に調整するためである。
【００６３】
テストプリント２の濃度レベルは、具体的に一例を挙げれば、０、８、１６、２４、３２、４８、６４、８０、１０４、１２８、１５２、１７６、２００、２２４、２４８、２５５である。
【００６４】
図９において、検知用画像であるパッチパターン（階調パターン）７１は解像度２００ｌｐｉ（ライン／インチ）のパッチ群、パッチパターン（階調パターン）７２は４００ｌｐｉのパッチ群である。各解像度の画像形成は、パルス幅変調回路において処理対象の画像信号との比較に用いる三角波などの信号の周期を複数用意することで実現される。
【００６５】
なお、本実施例の画像形成装置１００１における画像処理手段は、上述した黒文字判定部の出力信号に基づき、写真画像などの階調画像を２００ｌｐｉで、文字や線画などを４００ｌｐｉで形成する。この二種類の解像度で同一の階調レベルのパターンを出力してもよいが、解像度の違いが階調特性に大きく影響する場合は、解像度に応じた階調レベルのパターンを出力することが好ましい。
【００６６】
なお、テストプリント２は、ＬＵＴ２５を作用させず、圧縮した状態で所望の画像データを保持したメモリを解凍し展開するパターンジェネレータ２９から発生される画像信号に基づきプリントされる。ＬＵＴ２５を作用させずに、パターンジェネレータ２９から画像信号を発生させる理由は、画像入力信号に対する画像出力特性である素のエンジン特性を検知するためである。
【００６７】
パッチパターン７１及び７２を読み取る際は、当接マークから徐々に走査すると、最初の濃度ギャップ点がパッチパターン７２の角（図９のＢ点）で得られる。濃度ギャップ点Ｂの座標からパッチパターン７１及び７２の各パッチの相対位置を割り出し、パッチパターン７１及び７２の濃度を読み取る（Ｓ５８）。なお、テストプリント２の読取中は図７（ｄ）に示すような表示を行う。
【００６８】
一つのパッチ（例えば、図９に示すパッチ７３）の読取値は、パッチの内部に１６点をとり、１６点を読んで得られた値の平均にする。なお、読取点の数は読取装置及び画像形成装置によって最適化するのが好ましい。
【００６９】
図１３は、各パッチから得られたＲＧＢ信号を、先に示した光学濃度への変換方法により濃度値に変換した出力濃度とレーザ出力レベル（画像信号の値）との関係を示す図である。そして、図１３の右側の縦軸のように、記録紙の下地濃度（例えば０．０８）を０レベルとし、最大濃度の目標値１．６０を２５５レベルに正規化する。
【００７０】
もし、読み取られたパッチの濃度が、図１３にＣ点で示すように、特異的に高かったり、Ｄ点に示すように、特異的に低かったりする場合は、原稿台ガラス１０２上の汚れやテストパターンの不良が考えられる。その場合、データ列の連続性を保つため、データ列の傾きにリミッタをかけて補正する。例えば、データ列の傾きが３を超える場合は傾きを３に固定し、傾きがマイナスになるデータは、一つ低濃度のパッチと同じ値にする。
【００７１】
ＬＵＴ２５には、図１３に示される特性とは逆の変換特性を設定すればよい（Ｓ５９）。つまり、ＬＵＴ作成手段としてのＣＰＵ２８は、濃度レベルを入力レベル（図３の濃度信号）に、レーザ出力レベルを出力レベルにすることでＬＵＴ２５を作成する。パッチに対応しないレベルについては補間演算により値を求める。その際、零の入力レベルに対しては零の出力レベルになるように条件を設ける。
【００７２】
以上で、第１の制御系によるコントラスト電位の制御及びガンマ変換テーブルの作成が完了し、表示器２１８は、図７（ｅ）に示すような表示になる。この階調制御では、入力した画像信号と、最終的に転写材としての紙に記録される画像とを対応付けるべくレーザ出力を制御する為、非常に正確な制御となり、高い階調精度を有する出力画像を得ることができる。しかし、転写材の読取りを行なわなければならないことから、頻繁に行なうことは想定しにくい。そこで、以下のような第２の制御系を第１の制御系の合間に複数回行なうことによって画像再現特性の長期的安定化を図る。
【００７３】
（第２の制御系）
次に、第１の制御系で得られた画像再現特性の長期的安定化のために行う第２の制御系について説明する。
【００７４】
なお、本実施例で使用するトナーは、イエロー、マゼンタ及びシアンの色トナーで、スチレン系共重合樹脂をバインダとして、各色の色材を分散させたものである。また、感光体ドラム４は、近赤外光（９６０ｎｍ）の反射率が約４０％のＯＰＣドラムであるが、反射率が同程度であればアモルファスシリコン系の感光体ドラムなどであっても構わない。また、フォトセンサ４０は、感光体ドラム４からの正反射光のみを検出するよう構成されている。
【００７５】
図１４は、上述したフォトセンサ４０の出力信号を処理する回路構成例を示すブロック図である。フォトセンサ４０に入力される感光体ドラム４からの反射光（近赤外光）は、電気信号に変換される。０〜５Ｖの電気信号は、Ａ／Ｄ変換回路４１により、８ビットのデジタル信号に変換され、濃度換算回路４２によって濃度情報に変換される。
【００７６】
図１５は感光ドラム４上に形成したパッチの濃度を、各色の面積階調により段階的に変えた時のフォトセンサ４０の出力と出力画像の濃度との関係を示す図である。なお、トナーが感光ドラム４に付着していない状態のフォトセンサ４０の出力を５Ｖ、つまり２５５レベルに設定する。図１５に示されるように、各トナーによる面積被覆率が大きくなり、画像濃度が大きくなるに従いフォトセンサ４０の出力が小さくなる。
【００７７】
これらの特性を用いて、各色専用のセンサ出力信号から感光ドラム上のトナー画像濃度に変換するテーブル４２ａをつくることにより、各色についてのトナー画像濃度を精度良く求めることができる。
【００７８】
このトナー画像濃度の変化は、紙上の最終画像濃度に対応するものと考えられる。この為、第２の制御系では、同じ画像信号を入力した場合のトナー画像濃度の変化から、装置の特性の変化を推測し、画像信号に対する出力画像濃度がリニアに対応するように補正を加えるものである。
【００７９】
基準濃度値設定用の第２の制御を示すフローチャートを図１６（ａ）に示す。この制御はＣＰＵ２８により実現される。
【００８０】
先に述べた第１の制御（自動階調補正）のＬＵＴがセットされたのが確認されると（Ｓ２７１）、Ｙ、Ｍ、Ｃ、Ｂｋの各色毎のパッチパターンを感光ドラム上に形成して現像した（Ｓ２７２）現像パッチを、フォトセンサ４０で検知する（Ｓ２７３）。
【００８１】
本実施例で示す画像処理装置においては、画像処理装置のメインスイッチＯＮ時、又は、メインスイッチＯＮ後一定時間経過後、又は、不図示の環境変動を検出する温度センサ、湿度センサによるセンサ出力に応じて補正用の第２の制御を実施している（図１６ｂ）。
【００８２】
本制御のシーケンス、出力信号は、基準濃度取得時の条件と同じである。
【００８３】
まず、メインスイッチがオンされると、前記Ｓ２７２と同様に、第１の制御系で求めたＬＵＴ２５を用いて感光ドラム上に現像パッチを形成する（Ｓ２７５）。ここでは、画像信号９６に対応したレーザ出力（ＬＵＴ２５で求める）によって各色のパッチを形成する。
【００８４】
次に、パッチセンサで現像パッチ濃度を読込む（Ｓ２７６）。そして、測定された現像パッチ濃度を基準パッチ濃度と比較し、その差を求める。
【００８５】
図１７に従うステップを説明する。
【００８６】
ここで、パッチのレーザ出力は、各色とも濃度信号（画像信号）で７つのレベルを用いる。
【００８７】
ここでの各濃度信号のレベルを第一の制御系の結果を受けて、可変とすることが本件の特徴である。
【００８８】
（各濃度信号レベルの決定方法）
第一の制御系で得られたエンジン特性が図１８であった。
【００８９】
ステップ１において、第一の制御系で得られたエンジン特性を６次線形で近似を行う。
【００９０】
ステップ２において、ガンマカーブの傾きの変化率の大きい領域を検知するために２階微分を行う。
【００９１】
表１にその係数と次数を示す。
【００９２】
【表１】
2010281979.tif 000003
【００９３】
その結果、図１９に示す２階微分値のグラフを得る。
【００９４】
ステップ３において、図１９から２階微分値の最大値と最小値を取得する。
今回最大値はレーザー出力信号が９６のときであり、最小値は１９２のときである。
【００９５】
ここで、７つの階調パッチの工場出荷時の濃度信号は３２、６４、９６、１２８、１６０、１９２、２２４としている。この値は、エンジンの特性を均等に検知できるように、パッチ間隔をほぼ均等にパッチを置いた初期値である。
【００９６】
ステップ４においてこの初期値と、２階微分値の最大値、最小値からパッチの濃度信号を決定する。
【００９７】
ガンマカーブの変化の大きい最大値、最小値はかならず打つ階調パッチ信号とし、もっとも近い最大値もしくは最小値との差分に応じて、その前後の階調パッチ２つの濃度信号を変更する。具体的には、
濃度信号の変更量＝（最大値を取った２階微分値−前後の濃度信号パッチの２階微分値）×ａ
となる。ａは補正係数で濃度信号が最大値に近づく量を調節する。設計上では制御頻度や補正精度を考慮し決定される。本件ではａ＝０．１とした。
【００９８】
ステップ５において従来の濃度信号＋変更量を演算し新たな濃度信号値とする。
【００９９】
Ｂ点で計算すると、
９６（Ａ点、最大値）−６４（Ｂ点）＝３２
３２×０．１＝３．２
【０１００】
従って、変更量は小数点切り捨てで、３となる。Ｂ点の新たな濃度信号は６４＋３＝６７となる。次回第二の制御が行われる際は６７の濃度信号を使用する。
【０１０１】
最小点も同様の計算を行う。
【０１０２】
最大値もしくは最小値と変更する前後の濃度信号の差が少なくとも２以上のときに濃度信号の変更を行ったほうがよい。最大濃度が１．６で、２５５の信号数であった本件の場合に、１信号レベル分で１．６／２５５＝０．００６の濃度を受け持っていることになる。フォトセンサの濃度検出精度が約０．０１程度と見積もると、信号で２レベル分の検出はできるようになる。その他エンジンの濃度安定性を考慮し、本件では濃度信号の差が１０以下のときには濃度信号の変更を行っていないようにした。
【０１０３】
このように、本実施例では、パッチ形成毎に補正されるＬＵＴの傾きの変化率に基いて、次回パッチ形成を行う濃度レベルを変更している。具体的には、補正されるＬＵＴの傾きの変化率の絶対値が大きい濃度領域に、重点的にパッチが形成されるように、パッチの濃度レベルを変更している。
【０１０４】
出力信号は第１の制御で作られた、ＬＵＴに基づいて決められる。例えば、図２０に示すようなＬＵＴの場合、入力信号が９６の場合、出力信号は、１２０レベルとなる。ＬＵＴは各色毎に設定されているので、それぞれの色毎に出力信号は設定される。
【０１０５】
第１の制御で作成されたＬＵＴ２５は別の所に保存し、繰り返し行われる補正用の第２の制御が行われるごとに、常にこのＬＵＴ２５を初期特性に維持することが可能である。
【０１０６】
通常この画像処理装置は、電源を夜間切り、朝入れるケースが多く、従って第２の制御系は、１日に数回は起動されることになる場合が多い。
【０１０７】
それに対して、第１の制御系は、人の作業がともなうので、頻繁に行うことは想定しにくい。
【０１０８】
そこで、画像処理装置の設置作業にサービスマンが第１の制御系を実効する。そして、、画像に問題が生じなければ、第２の制御系で、短期間内は特性を自動的に維持させる。一方、長期間で徐々に変化したものに対しては、第１の制御系でキャリブレーションを行うという役割分担ができる。結果として画像処理装置の寿命まで、階調特性を維持することができるようになる。
【０１０９】
以上、第１の制御手段である自動階調補正を実施しそれで作成されたＬＵＴに基づき、基準濃度取得用の第２の制御である現像パッチ読込みを行う。そしてパッチセンサの基準濃度とし、それに基づいて、それ以降に実施される補正用の第２の制御のパッチ濃度値との変化量に応じて、自動階調補正で作成したＬＵＴを補正していく。結果として自動階調補正で得られた画像濃度特性を長期的に維持することができる。
【０１１０】
本実施例では、レーザにより像形成を行なったが、レーザ以外の、ＬＥＤ等の露光装置をも奔走に適用可能であることは言うまでもない。
【０１１１】
実施例２
本実施例では中間転写体を用いた画像処理装置に適用した例を示す。本実施例における第２の制御は、中間転写体上にフォトセンサを設け、現像パッチの濃度を検知している。
図２１は本実施例に示す画像処理装置のプリンタ部分を示す、回転現像器を用い、イエロー、マゼンタ、シアンの各現像カートリッジが、ロータリ内に収められており、適時必要時に、各現像カートリッジが、現像位置に移動し、現像を行う。ブラックカートリッジは、固定で配置されており、ブラック単色時などに回転現像器を回転させる時間を省いている。
【０１１２】
各色の画像情報に応じて感光体ドラム上に形成されたトナー像は、順次中間転写体上に転写される。フルカラーの場合には、４色トナーが中間転写体上に転写された後、給紙ユニットから給紙された、記録材に一括で転写し、定着器による定着工程を経て機外に排出され、フルカラープリントとなる。
【０１１３】
ところで、本実施例に示した、画像処理装置の感光体ドラムの帯電装置は、接触帯電方式を用いている。印加する高圧は、均一な帯電を得るためのＡＣバイアス（定電流）と、帯電電位を決定付けるＤＣバイアス（定電圧）が印加されている。周知の事実だが、ＡＣバイアス＋ＤＣバイアスが重畳されている接触帯電方式は、感光体ドラムの劣化、特に表面層の削れが著しい。実施例１に示すコロナ帯電器を用いた場合、１０万回転で、約１μｍの削れ量であったのに対し、本実施例のＡＣバイアス＋ＤＣバイアスが重畳されている接触帯電方式では、１０万回転で約１２μｍ削れてしまう。
【０１１４】
従って感光体ドラム上では、パッチの読込みの変動要因が増すことから、長期的安定性という観点では、あまり好ましくない。
【０１１５】
一方中間転写体は、感光体ドラムに比べ、劣化要因が少なく、一層の安定化が可能である。
【０１１６】
そこで、先にも示したが、本実施例に示す画像処理装置の第２の制御のセンサは中間転写体上に設けられている。
【０１１７】
以上、本実施例においても、第１の制御手段である自動階調補正を実施しそれで作成されたＬＵＴに基づいて中間転写体上にパッチを形成し、基準濃度取得用の第２の制御である現像パッチ読込みを行う。求めたパッチセンサの基準濃度値と、それ以降に実施される補正用の第２の制御のパッチ濃度値との変化量に応じて、自動階調補正で作成したＬＵＴを補正して行く。これにより、自動階調補正で得られた画像濃度特性を長期的に維持することができる。
【０１１８】
また本実施例では、感光体ドラムの変化要因を削れとしたが、放電生成物などによる劣化、クリーニング工程におけるキズなど、様々な変化要因に対して適用可能なことは当然である。
【０１１９】
また、本実施例においては、中間転写体上でパッチの読込みを行ったが、記録材を搬送する転写ベルト等、現像パッチを読込む構成を設ければ、本発明を適用可能である。
さらには、本実施例では、反射型のセンサを設けたが、中間転写体、あるいは転写ベルトなどに、透過性の高い材料を用いれば、透過型センサによる構成も当然適用可能である。
本実施例では、レーザにより像形成を行ったが、これに限られるものではなく、ＬＥＤ等の露光装置を用いた像形成装置にも適用可能であることは言うまでもない。
【０１２０】
（他の実施例）
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１２１】
また、本発明の目的は、前述した実施例の機能を実現するソフトウェアのプログラムコードを記録した記憶媒体（又は記録媒体）を、システム或いは装置に供給してもよい。そして、そのシステム或いは装置のコンピュータ（又は、ＣＰＵやＭＰＵ）が記憶媒体に格納されたプログラムコードを読み出し実行することによっても、達成されることは言うまでもない。
【０１２２】
この場合、記憶媒体から読み出されたプログラムコード自体が前述した実施例の機能を実現することになり、そのプログラムコードを記憶した記憶媒体は、本発明を構成することになる。
【０１２３】
また、コンピュータが読み出したプログラムコードを実行することにより、前述した実施例の機能が実現されるだけでない。そのプログラムコードの指示に基づき、コンピュータ上で稼働しているオペレーティングシステム（ＯＳ）などが実際の処理の一部又は全部を行い、その処理によって前述した実施例の機能が実現される場合も含まれることは言うまでもない。
【０１２４】
さらに、記憶媒体から読み出されたプログラムコードが、コンピュータに挿入された機能拡張カードやコンピュータに接続された機能拡張ユニットに備わるメモリに書込まれてもよい。そして、メモリに書き込まれた後、そのプログラムコードの指示に基づき、その機能拡張カードや機能拡張ユニットに備わるＣＰＵなどが実際の処理の一部又は全部を行い、その処理によって前述した実施例の機能が実現される場合も含まれることは言うまでもない。
【０１２５】
本発明を上記記憶媒体に適用する場合、その記憶媒体には、先に説明したフローチャートに対応するプログラムコードが格納されることになる。
【０１２６】
なお、上述した各実施例では、静電潜像やトナー像を坦持する像担持体として感光体ドラムを例として挙げたが、その表面に感光層を有するベルト状の像坦持体である感光体ベルトにも、本発明を適用可能である。
【０１２７】
これらの装置では、第２の制御系の入力情報である濃度情報は、感光体ベルト上に形成されたパッチ画像から取得すればよい。
【０１２８】
以上説明したように、本発明によれば、時間と手間がかからない、頻繁に実行可能な画像制御を提供することができる。
【０１２９】
さらに、通常の画像形成が継続される間、パッチ画像の信号値が常に最適化されつづけ、補正を繰り返すことで、精度が高く、出力画像の階調安定性が高い画像制御にすることができる。
【符号の説明】
【０１３０】
Ａ                            リーダ部
Ｂ                            プリンタ部
３                            現像器
４                            感光体ドラム（像担持体）
２５                          γ変換ルックアップテーブル（補正手段）
２８、２１４                  ＣＰＵ（制御手段）
４０                          フォトセンサ（検知手段）
６１、６２、７１、７２        パッチパターン（検知用画像）
１００１                      画像形成装置
【図１】
2010281979.tif 000004
【図２】
2010281979.tif 000005
【図３】
2010281979.tif 000006
【図４】
2010281979.tif 000007
【図５】
2010281979.tif 000008
【図６】
2010281979.tif 000009
【図７】
2010281979.tif 000010
【図８】
2010281979.tif 000011
【図９】
2010281979.tif 000012
【図１０】
2010281979.tif 000013
【図１１】
2010281979.tif 000014
【図１２】
2010281979.tif 000015
【図１３】
2010281979.tif 000016
【図１４】
2010281979.tif 000017
【図１５】
2010281979.tif 000018
【図１６】
2010281979.tif 000019
【図１７】
2010281979.tif 000020
【図１８】
2010281979.tif 000021
【図１９】
2010281979.tif 000022
【図２０】
2010281979.tif 000023
【図２１】
2010281979.tif 000024